(57)【要約】【課題】本発明の課題は、荷物を乗せたり、人が座る、乗る等で荷重が掛った時に移動ロックがかかるキャスターを提供することである。【解決手段】本発明の加重時移動ロックキャスターは、車輪を支持した車輪支持体とキャスター本体を付設する対象に取り付けるための取付部がスライド伸縮自在に結合され、キャスターに加重がかかってないときは、伸張状態にあるが、加重がかかると縮小することで、取り付け部に備わった停止部材が、直接または車輪支持体に付いた第二の停止部材を駆動して、車輪または床に当たってキャスターの移動を阻止することを特徴とする。【選択図】図１
2013184683.tif 000002
【特許請求の範囲】
【請求項１】
車輪を支持した車輪支持体とキャスター本体を付設する対象に取り付けるための取付部がスライド伸縮自在に結合され、前記車輪支持体と前記取付部の間が、
前記キャスターに加重がかかってないときは、伸張状態にあるが、加重がかかると縮小することで、前記取付部に備わった停止部材、または前記車輪支持体に付いていて前記停止部材に駆動された第二の停止部材が、車輪または床に当接して前記キャスターの移動を阻止することを特徴とする加重時移動ロックキャスター。
【請求項２】
前記車輪支持体と前記取付部の間が、前記キャスターに加重がかかってないときは、伸張状態にあるが、加重がかかると縮小する手段として、前記車輪支持体と前記取付部の間に弾性復元手段を備えたことを特徴とする請求項１記載の加重時移動ロックキャスター。
【請求項３】
前記キャスターの移動を阻止するロックが、加重を掛けた状態でもかからないで移動が可能なようにするために、前記停止部材または前記第二の停止部材が前記車輪や前記床に接触しないように前記停止部材または前記第二の停止部材の位置を引き上げまたは引き下げまたは、その先端を曲げてその位置をずらすことが可能としたロック解除機構を備えたことを特徴とする請求項１または請求項２記載の加重時移動ロックキャスター。
【請求項４】
前記キャスターの移動を阻止するロックが、加重を掛からない状態でも可能なように前記停止部材または前記第二の停止部材が前記車輪や前記床に接触するように非加重時ロック機構を備えたことを特徴とする請求項１から請求項３のいずれか１つに記載の加重時移動ロックキャスター。
【発明の詳細な説明】
【技術分野】
【０００１】
本発明は、荷物を乗せたり、人が座る、乗る等で荷重が掛った時に移動ロックがかかるキャスターに関するものである。
【背景技術】
【０００２】
従来、特許文献１に見るような多くの提案があるキャスターは、図２のような小さな車輪であって、椅子や台車、車椅子他いろいろなものに使われている。図２のものでは、レバー２０１を動かすことで車輪をロックするロック機構が備えられているが、これでは満足がいかない場合がある。例えば、移動に容易なようにキャスターの付いた椅子を踏み台代わりにして上に乗っかると移動してバランスを崩し、椅子ごと転倒することがその代表的例である。椅子は踏み台ではないといっても事故が起こるので現実は教育だけでは解決されない。表沙汰にならないが、特に一般家庭ではこのような事故は多い。乗っかることで加重がかかったときにロックがかかるキャスターは極めてこのようなことに対応できる。然しながら、先行特許文献にもこのようなものは見いだせない。
【先行技術文献】
【特許文献】
【０００３】
【特許文献１】特開２０１１−１５６９３１
【発明の概要】
【発明が解決しようとする課題】
【０００４】
本発明の課題は、荷物を乗せたり、人が座る、乗る等で荷重が掛った時に移動ロックがかかるキャスターを提供することである。
【課題を解決するための手段】
【０００５】
本発明の加重時移動ロックキャスターは、車輪を支持した車輪支持体とキャスター本体を付設する対象に取り付けるための取付部がスライド伸縮自在に結合され、キャスターに加重がかかってないときは、伸張状態にあるが、加重がかかると縮小することで、取り付け部に備わった停止部材が、直接または車輪支持体に付いた第二の停止部材を駆動して、車輪または床に当たってキャスターの移動を阻止することを特徴とする。
以下請求項に沿って述べる。
【０００６】
請求項１記載の発明は、加重時移動ロックキャスターであって、車輪を支持した車輪支持体とキャスター本体を付設する対象に取り付けるための取付部がスライド伸縮自在に結合され、前記車輪支持体と前記取付部の間が、前記キャスターに加重がかかってないときは、伸張状態にあるが、加重がかかると縮小することで、前記取付部に備わった停止部材、または前記車輪支持体に付いていて前記停止部材に駆動された第二の停止部材が、車輪または床に当接して前記キャスターの移動を阻止することを特徴とする。
【０００７】
請求項２記載の発明は、請求項１記載の加重時移動ロックキャスターにおいて、前記車輪支持体と前記取付部の間が、前記キャスターに加重がかかってないときは、伸張状態にあるが、加重がかかると縮小する手段として、前記車輪支持体と前記取付部の間に弾性復元手段を備えたことを特徴とする。
【０００８】
請求項３記載の発明は、請求項１または請求項２記載の加重時移動ロックキャスターにおいて、前記キャスターの移動を阻止するロックが、加重を掛けた状態でもかからないで移動が可能なようにするために、前記停止部材または前記第二の停止部材が前記車輪や前記床に接触しないように前記停止部材または前記第二の停止部材の位置を引き上げまたは引き下げまたは、その先端を曲げてその位置をずらすことが可能としたロック解除機構を備えたことを特徴とする。
【０００９】
請求項４記載の発明は、請求項１から請求項３のいずれか１つに記載の加重時移動ロックキャスターにおいて、前記キャスターの移動を阻止するロックが、加重を掛からない状態でも可能なように前記停止部材または前記第二の停止部材が前記車輪や前記床に接触するように非加重時ロック機構を備えたことを特徴とする。
【発明の効果】
【００１０】
以上の様に構成されているので、本発明による加重時移動ロックキャスターは、使用者が座る、物を載せるなど加重がかかると、キャスターの移動が阻止されるので、移動によって引き起こされる事故などの不都合を回避できる。
【図面の簡単な説明】
【００１１】
【図１】本発明の加重時移動ロックキャスターの一実施態様を示す図である。
【図２】従来のキャスターの実施態様を示す図である。
【発明を実施するための形態】
【００１２】
本発明の加重時移動ロックキャスターは、車輪を支持した車輪支持体とキャスター本体を付設する対象に取り付けるための取付部がスライド伸縮自在に結合され、キャスターに加重がかかってないときは、伸張状態にあるが、加重がかかると縮小することで、取付部に備わった停止部材が、直接または車輪支持体に付いた第二の停止部材を駆動して、車輪または床に当たってキャスターの移動を阻止することを特徴とする。
以下図に沿って説明する。
【００１３】
図１は、本発明の加重時移動ロックキャスターの一実施態様を示す図である。
１−Ａと１−Ｂで。共通な事項と異なる事項を分けて説明すると以下のようになる。
先ず、共通な事項を先に説明する。
１−Ａ、１−Ｂにおいて、加重時移動ロックキャスター１００は、車輪支持体１０１に回転自在に支持された車輪１０２を備え、車輪支持体１０１の車輪支持側とは反対側の端にある結合部１０４と、キャスターの付設対象に取り付けるための取付部１０３がスライド伸縮自在に結合している。この図では、結合部１０４は、棒状部１０５を有し、取付部１０３には、棒状部１０５を受け入れる凹部１０６を有している。棒状部１０５は凹部１０６に嵌って、上下にスライド可能である。勿論、雄雌の関係は、結合部１０４と取付部１０３の間で反対であってもよい。棒状部１０５と凹部１０６は、図示してはいないが抜けきらないように停止片などで噛み合いされている。
尚、取付部１０３の上端には、付設対象に取り付けるためのネジその他の取付手段１０７が備えてある。キャスター１００に加重がかからない場合は、取付部１０３と車輪支持体１０１の間が伸びた状態になっている。両者間に伸縮等の弾性復元手段１０８が備えられる。これは、例えば、バネ、油圧シリダー、ガススプリングなどが利用される、この図では、バネを用いた図となっている。加重がかかると、取付部１０３と車輪支持体１０１の間が縮小する。
取付部１０３には、停止部材１０９が備わっている。ここでは、棒状であり、車輪支持体１０１の方向に向かって伸びている。キャスター１００に加重がかかった場合は、停止部材１０９は、直接、移動停止行動をするか、車輪支持体１０１に備える図示してない第二の停止部材を駆動して移動を停止することができる。
【００１４】
尚、加重を掛けた状態でもロックがかからないように停止部材１０９が車輪１０２や床に接触しないように停止部材１０９の位置を引き上げまたは引き下げるか、または先端を曲げて位置をずらすことが可能であるロック解除機能を備え、この動作をロック解除レバー１１０を動かすことで行うことができる。勿論レバーではなく回転ハンドルなど別の形態も可能である。
なお、本発明による加重時移動ロックキャスターにおいても、
前記キャスターの移動を阻止するロックが、加重を掛からない状態でも可能なように前記停止部材または前記第二の停止部材が前記車輪や前記床に接触するように非加重時ロック機構を備えると好都合である。この場合、ロック解除レバー１１０を逆側に移動すると、非加重時ロックになるようにすると好都合である。この場合には、ロック解除レバー１１０は切り替えにより、非加重時ロック、加重時ロック、ロック解除の３つのモードまでとることができる。
【００１５】
次に、１−Ａ、１−Ｂで異なる事項を説明する。
停止部材１０９は、１−Ａでは、車輪１０２に接触することで移動を阻止しているが、１−Ｂでは、床に接触することで移動を停止している。
違いはここだけである。
【００１６】
以上のような、加重時移動ロックキャスターは、例えば、椅子や、荷物を運ぶ台車に使用すると、移動時には、ロック解除レバー１１０で移動可能にして移動を行い、停止時には、
ロック解除レバー１１０でロック状態にすると、移動は停止して、椅子が移動して事故になったり、台車が移動（逃げる）して荷物の積載に不都合がおこるということが回避される。
【産業上の利用可能性】
【００１７】
以上のように加重時移動ロックキャスターは、加重によりキャスターの移動が阻止されるので、椅子や台車に使用して事故防止、作業効率の改善が図れるので、産業上の利用性が極めて大きい。
【符号の説明】
【００１８】
１００  キャスター
１０１  車輪支持体
１０２  車輪
１０３  取付部
１０４  結合部
１０５  棒状部
１０６  凹部
１０７  取付手段
１０８  弾性復元手段
１０９  停止部材
１１０  ロック解除レバー
【図１】
2013184683.tif 000003
【図２】
2013184683.tif 000004